(57)【要約】【課題】適切な排泄物処理材の量を目視で判断できる動物用トイレを提供すること。【解決手段】動物用トイレ１は、複数の粒状物５が収容される粒状物収容容器２を備える動物用トイレ１であって、粒状物収容容器２は、底面部２１及び底面部２１の周縁部２３から起立する側壁部２２を有する容器本体２０と、容器本体２０における側壁部２２から外方に向かって膨出すると共に側壁部２２に対して所定角度屈曲した突起部底面４１、及び突起部側壁４２を有する突起部４０と、を備え、突起部底面４１の下端部は、底面部２１の上端部よりも上方に位置する。【選択図】図１
2014236683.tif 000002
【特許請求の範囲】
【請求項１】
複数の粒状物が収容される粒状物収容容器を備える動物用トイレであって、
前記粒状物収容容器は、
底面部及び該底面部の周縁部から起立する側壁部を有する容器本体と、
前記容器本体における前記側壁部から外方に向かって膨出すると共に前記側壁部に対して所定角度屈曲した突起部底面、及び突起部側壁を有する突起部と、を備え、
前記突起部底面の下端部は、前記底面部の上端部よりも上方に位置する動物用トイレ。
【請求項２】
前記底面部は、前記周縁部から中央に向かって下り傾斜となったテーパ面部を有する請求項１に記載の動物用トイレ。
【請求項３】
前記突起部底面は、外方に向かって上り傾斜となった傾斜面により構成される請求項１又は２に記載の動物用トイレ。
【請求項４】
前記突起部は、複数設けられる請求項１〜３のいずれかに記載の動物用トイレ。
【請求項５】
前記容器本体は、平面視において矩形状に形成され、
前記複数の突起部は、前記容器本体の一の辺に沿って設けられる請求項４に記載の動物用トイレ。
【請求項６】
前記粒状物収容容器の下方に配置される下部容器を更に備え、
前記底面部には、複数の貫通孔が形成される請求項１〜５のいずれかに記載の動物用トイレ。
【請求項７】
前記底面部は、該底面部の中央部に配置される平面部と、該平面部の周縁から前記側壁部に向かって上り傾斜となったテーパ面部と、を備え、
前記複数の貫通孔は、前記平面部に形成される請求項６に記載の動物用トイレ。
【発明の詳細な説明】
【技術分野】
【０００１】
本発明は、動物用トイレに関する。
【背景技術】
【０００２】
従来より、猫等の飼育される動物の排泄物を処理する動物用のトイレとして、下部容器と、下部容器の上側に配置される上部容器とにより構成され、上部容器の底面部に液透過孔を有する動物用トイレが知られている。このような動物用トイレは、下部容器に液体を吸収する吸液部材を載置し、上部容器にトイレ砂と呼ばれる粒状物を収容して用いられる（例えば、特許文献１参照）。特許文献１に記載の動物用トイレによれば、動物は粒状物の上で排泄し、尿等の液体が粒状物の間を透過し、上部容器の液透過孔を通過して、下部容器の吸液部材に吸収される。
【先行技術文献】
【特許文献】
【０００３】
【特許文献１】特開２００２−４５０６７号公報
【発明の概要】
【発明が解決しようとする課題】
【０００４】
しかしながら、特許文献１に記載の動物用トイレには、容器に排泄物処理材の量を示す手がかりが設けられていない。このような容器を有する動物用トイレでは、排泄物処理材の適切な量がわからないため、多く補充すぎると、排泄物処理材が容器の外へ飛び散りやすくなる。また、逆に、排泄物処理材が不足していることにも気づきにくく、動物が快適に排泄できない場合があった。更に、排泄物処理材が不足している場合には、糞が容器に付着して、不衛生で掃除に手間がかかるという問題があった。
【０００５】
本発明は、適切な排泄物処理材の量を目視で判断できる動物用トイレを提供することを目的とする。
【課題を解決するための手段】
【０００６】
（１）  本発明の動物用トイレは、複数の粒状物が収容される粒状物収容容器を備える動物用トイレであって、前記粒状物収容容器は、底面部及び該底面部の周縁部から起立する側壁部を有する容器本体と、前記容器本体における前記側壁部から外方に向かって膨出すると共に前記側壁部に対して所定角度屈曲した突起部底面、及び突起部側壁を有する突起部と、を備え、前記突起部底面の下端部は、前記底面部の上端部よりも上方に位置する。
【０００７】
（２）  前記底面部は、前記周縁部から中央に向かって下り傾斜となったテーパ面部を有することが好ましい。
【０００８】
（３）  前記突起部底面は、外方に向かって上り傾斜となった傾斜面により構成されることが好ましい。
【０００９】
（４）  前記突起部は、複数設けられることが好ましい。
【００１０】
（５）  前記容器本体は、平面視において矩形状に形成され、前記複数の突起部は、前記容器本体の一の辺に沿って設けられることが好ましい。
【００１１】
（６）  前記粒状物収容容器の下方に配置される下部容器を更に備え、前記底面部には、複数の貫通孔が形成されることが好ましい。
【００１２】
（７）  前記底面部は、該底面部の中央部に配置される平面部と、該平面部の周縁から前記側壁部に向かって上り傾斜となったテーパ面部と、を備え、前記複数の貫通孔は、前記平面部に形成されることが好ましい。
【発明の効果】
【００１３】
本発明によれば、適切な排泄物処理材の量を目視で判断できる動物用トイレを提供することができる。
【図面の簡単な説明】
【００１４】
【図１】本実施形態の動物用トイレを示す斜視図である。
【図２】本実施形態の動物用トイレの分解斜視図である。
【図３】本実施形態の動物用トイレにおける上部容器の正面図である。
【図４】図３に示す動物用トイレのＡ−Ａ断面図において使用の状態を示す図である。
【図５】図３に示す動物用トイレのＢ−Ｂ断面の部分拡大図である。
【図６Ａ】本実施形態の動物用トイレの使用の状態を示す図である。
【図６Ｂ】本実施形態の動物用トイレの使用の状態を示す図である。
【図６Ｃ】本実施形態の動物用トイレの使用の状態を示す図である。
【図７】本実施形態の動物用トイレの上部容器を傾けた状態を示す図である。
【発明を実施するための形態】
【００１５】
以下、本発明の動物用トイレの好ましい各実施形態について、図面を参照しながら説明する。
図１は、動物用トイレ１を示す斜視図である。図２は、動物用トイレ１の分解斜視図である。図３は、動物用トイレ１における上部容器２の正面図である。図４は、図３に示す動物用トイレ１のＡ−Ａ断面において、吸液部材４及び粒状物としての排泄物処理材５をそれぞれ収容させた状態を示す図である。図５は、図３に示す動物用トイレ１をＢ方向に切断した状態の断面図である。
【００１６】
動物用トイレ１は、図１及び図２に示すように、粒状物収容容器としての上部容器２と、下部容器３と、を備える。動物用トイレ１は、例えば住居の床等に設置される。
【００１７】
下部容器３は、図２に示すように、下部底面部３１と、下部側壁部３２と、取手部３３と、を有する。図２に示すように、下部容器３０は、上部が開放された容器である。
【００１８】
下部底面部３１は、図４に示すように、平面視で長方形の４つの角を、各長辺及び短辺に対して斜めに切り落としたような略八角形をしている。
下部側壁部３２は、下部底面部３１の周縁から起立する壁である。
【００１９】
取手部３３は、下部側壁部３２の外面に配置されている。取手部３３は、下部容器３０の短手方向の辺に１箇所ずつ、向かい合って計２箇所設けられている。取手部３３は、下部容器３０の外側に突出するように設けられている。
【００２０】
上部容器２は、図２に示すように、容器本体２０と、容器本体２０から突出する突起部４０と、を有する。上部容器２は、上部が開放された容器である。
【００２１】
容器本体２０は、底面部２１と、側壁部２２と、を備える。容器本体２０は、上部容器２の主要部分を構成する。
【００２２】
底面部２１は、図４に示すように、周縁部２３と、平面部２４と、テーパ面部２５と、を有する。
周縁部２３は、平面視で底面部２１の外周近傍の部分である。
平面部２４は、平面視で底面部２１の略中央に配置され、底面部２１の高さ方向における最も下方に配置されている。平面部２４は、容器本体２０の略水平方向に延びる面である。平面部２４には、複数の貫通孔２１１が形成されている。平面部２４は、上部容器２の外形と略同形の形状を有しており、本実施形態では、猫の顔の形をしている。
テーパ面部２５は、平面部２４の周縁から、底面部２１の周縁部２３に向かって上り傾斜となる面である。すなわち、テーパ面部２５は、周縁部２３から略中央に向かって下り傾斜となる面である。テーパ面部２５のテーパ角度は、底面部２１に対して５度〜６０度であることが好ましい。テーパ面部２５のテーパ角度が５度を下回る程に浅すぎると、動物の尿等を平面部２４側へ移動させて、下部容器３に誘導することが難しくなる。また、テーパ面部２５のテーパ角度が６０度を超える程に深すぎると、動物が上部容器２に乗った際に、足を安定して乗せる場所が狭くなる。このため、テーパ角度は上記の範囲が好ましい。テーパ面部２５は、図４に示すように、底面部２１から垂直方向に１ｃｍ〜７ｃｍの範囲の高さＨ１の範囲に形成されている。
【００２３】
側壁部２２は、底面部２１の周縁部２３から起立すると共に、容器本体２０の外壁を構成する壁面である。側壁部２２は、上部壁部２２１と、延出壁部２２２と、を有する。
【００２４】
上部壁部２２１は、その下端がテーパ面部２５の上端から連続している。すなわち、図４に示すように、上部壁部２２１は、底面部２１から高さＨ１離れた位置から形成されている。上部壁部２２１は、上部容器２の上端部まで延び、上端部で外側に向かって反っている。
【００２５】
延出壁部２２２は、図５に示すように、上部壁部２２１の外面側において、上部壁部２２１から下方へ延びている。また、図１及び図５に示すように、延出壁部２２２は、下部容器３よりも外側に位置している。延出壁部２２２の一部は、上部容器２の四隅において動物用トイレ１の設置面まで延び、足部２２３を構成している。図１に示すように、延出壁部２２２は、足部２２３と足部２２３との間に、上方へ向かって弧を描くように切り欠かれる切り欠き部２２４とを有する。
【００２６】
突起部４０は、容器本体２０の側壁部２２から外方に向かって膨出した部分である。突起部４０は、容器本体２０の一の辺に沿って複数設けられている。本実施形態では、突起部４０は、容器本体２０の一の長辺の両端部にそれぞれ一箇所設けられている。
【００２７】
突起部４０は、突起部底面４１と、突起部側壁４２と、を備える。突起部４０は、本実施形態では、猫の耳のような略三角形又は略扇状の形状をしている。
突起部底面４１は、上部容器２の側壁部２２に対して所定角度屈曲し、外方に向かって上り傾斜の傾斜面により構成されている。図３に示すように、突起部底面４１の幅Ｗは、上に向かうに従って徐々に狭くなるように形成されている。図４に示すように、突起部底面４１は、その下端部が底面部２１の上端部よりも上方に位置するように形成されている。
突起部側壁４２は、突起部底面４１の周囲から側壁部２２の上端に向かって延びる壁面である。具体的には、突起部側壁４２は、突起部底面４１の略三角形における底面部２１に接さない二辺から上方に延びている。
【００２８】
突起部４０は、図４及び図５に示すように、底面部２１から垂直方向に２ｃｍ〜８ｃｍの範囲の高さＨ２から形成される。すなわち、突起部４０は、上部壁部２２１における底面部から垂直方向に２ｃｍ〜８ｃｍ上の位置において、外方へ膨出している。
【００２９】
以上の動物用トイレ１は、下部容器３に吸液部材４を載置し、上部容器２に粒状の排泄物処理材５を収容して用いられる。
【００３０】
吸液部材４は、図４に示すように、尿等の動物の排泄物を吸収可能な部材である。吸液部材４は、液透過性の表面シートと、液保持性の中間シートと、液不透過性の裏面シートを積層して接合した四角形のシートである。
【００３１】
排泄物処理材５は、尿等の液体の動物の排泄物を吸収したり、透過させたりする粒状の処理材であり、いわゆるトイレ砂である。トイレ砂としては、撥水性で多くの液体を吸液部材へ透過させるタイプや、尿等の液体を吸収すると固化するタイプ等、様々な素材の粒状物が適宜用いられる。
【００３２】
次に、動物用トイレ１の使用の状態ついて説明する。図６Ａ〜図６Ｃは、動物用トイレ１の使用の状態を示す図である。図７は、動物用トイレ１を傾けた状態を示す図である。
図４に示すように、動物用トイレ１に猫等の動物が入り、上部容器２に収容された排泄物処理材５の上で排泄をする。尿等の液体の排泄物は、排泄物処理材５を透過し、底面部２１の複数の貫通孔２１１を通って、下部容器３に載置された吸液シートに吸収される。
【００３３】
図６Ａは、排泄物処理材５が、突起部底面４１にまで充填された状態を示している。使用者は、排泄物処理材５が突起部底面４１を埋めるように上部容器２に収容されている状態を、動物用トイレ１の上から視認することができる。動物は排泄後に排泄物処理材５を掘ったり掻いたりする習性があるため、突起部底面４１にまで排泄物処理材５が補充されると、排泄物処理材５が動物用トイレ１の外へ飛び散る場合がある。このため、排泄物処理材５が突起部底面４１にまで収容されているときは、排泄物処理材５が多すぎると理解できる。
【００３４】
図６Ｂは、排泄物処理材５が、突起部４０の下端部近傍まで（すなわち、図４に示す高さＨ２まで）充填された状態を示している。使用者は、排泄物処理材５が突起部底面４１の下端部近傍まで充填された状態を、動物用トイレ１の上から視認することができる。排泄物処理材５が突起部４０の下端部近傍まで充填された状態では、本実施形態では、排泄物処理材５は、例えば４リットル程度収容されている。この状態では、動物の動きにより排泄物処理材５が飛び散りにくい。また、底面部２１からの厚さも丁度良く、動物に快適に排泄させることができる。突起部４０の下端部を目安にすることで排泄物処理材５の適量を理解することができる。
【００３５】
図６Ｃは、排泄物処理材５が、テーパ面部２５が表れる程度（すなわち、図４に示す高さＨ１の範囲内まで）充填された状態を示している。使用者は、排泄物処理材５がテーパ面部２５の表れるまで充填された状態を、動物用トイレ１の上から視認することができる。排泄物処理材５がテーパ面部２５の表れるまで充填された状態では、本実施形態では、排泄物処理材５は、例えば１リットル程度収容されている。この状態では、排泄物処理材が十分でないため、動物が排泄後に排泄物処理剤を掘ったり掻いたりしづらく、動物に快適に排泄させることが難しくなる。また、糞が底面部２１に付着しやすくなる。そこで、動物用トイレ１における排泄物処理材５の高さがテーパ面部２５の上端よりも低く、側壁部２２における高さＨ１の近傍になったときに、排泄物処理材５を補充する必要があると気づくことができる。
【００３６】
なお、図６Ａ〜６Ｃに示すように、突起部４０が二箇所形成されていることにより、排泄物処理材５を充填する目安を、２点を結ぶ線を基準として把握できる。
【００３７】
図７に示すように、下部容器３に配置された吸液部材４を取り替える場合や、吸液部材４の汚れ具合を確認する際に、上部容器２を傾斜させる場合がある。この場合、突起部４０が側壁部２２から外方に膨出し、側壁部２２に対して所定角度傾斜しているので、上部容器２を傾けた際に排泄物処理材５が突起部４０に流れ込んで、上部容器２の外に落ちにくい。
【００３８】
また、図７の状態から更に後ろへ上部容器２を傾けても、突起部４０が側壁部２２より外方に突出しているため、足部２２３及び突起部４０により、上部容器２を安定させた状態で支えることできる。
【００３９】
以上説明した本実施形態の動物用トイレ１によれば、以下のような作用効果を奏する。
【００４０】
（１）  複数の粒状物５が収容される粒状物収容容器としての上部容器２を備える動物用トイレ１において、上部容器２に、底面部２１及び側壁部２２を有する容器本体２０と、側壁部２２から外方に向かって膨出すると共に側壁部２２に対して所定角度屈曲した突起部底面４１及び突起部側壁４２を有する突起部４０と、を形成し、突起部底面４１の下端部を、底面部２１の上端部よりも上方に位置させた。これにより、突起部底面４１の高さを適宜設定することで、粒状物としての排泄物処理材５を充填していった場合に、排泄物処理材５が突起部底面４１まで達したら十分な量の排泄物処理材５が充填できたことを容易に視認できる。突起部４０と側壁部２２とが段差になっているので、排泄物処理材５の量の充填目安がわかりやすい。
【００４１】
（２）  底面部２１に、周縁部２３から中央に向かって下り傾斜となったテーパ面部２５を設けた。上部容器２の底面部２１にテーパ面部２５が形成されているため、排泄物処理材５が下方に集まるように移動する。このため、底面部２１の一部に排泄物処理材５が偏ったりせず、排泄物処理材５の適切な量を把握することができる。
【００４２】
（３）  突起部底面４１を、外方に向かって上り傾斜となった傾斜面により構成した。このため、排泄物処理材５を充填するときや、交換する際に、突起部底面４１の傾斜を利用して、突起部底面４１から粒状の排泄物処理材５を容器本体２０に注ぎ入れたり、容器本体２０から出したりすることを、容易にすることができる。
【００４３】
（４）  突起部４０を、複数設けた。このため、突起部４０同士を結んだ線と、排泄物処理材５の高さとを比較して、排泄物処理材５の量を平面方向に把握することができる。
【００４４】
（５）  容器本体２０を、平面視において矩形状に形成し、複数の突起部４０を、容器本体２０の一の辺に沿って設けた。このため、動物用トイレ１を一の辺に対向する他の辺を持って傾けた場合に、上部容器２が突起部４０を支点して安定し、傾いた状態を維持できる。このため、動物用トイレ１の清掃が容易になる。また、容器本体２０を他の辺側から倒した場合、排泄物処理材５が突起部４０に移動して、排泄物処理材５が容器本体２０からこぼれ落ちることが防止される。
【００４５】
（６）  上部容器２の下方に配置される下部容器３を含んで構成し、底面部２１に、複数の貫通孔２１１を形成した。このため、底面部２１から排泄物処理材５を透過し貫通孔２１１を通過した尿等の液体が、下部容器３に収容される。尿等の液体は、下部容器３に吸液部材４を配置していた場合には、吸液部材４により吸収されることができる。
【００４６】
（７）  底面部２１を、底面部２１の中央部に配置される平面部２４と、平面部２４の周縁から側壁部２２に向かって上り傾斜となったテーパ面部２５と、を含んで構成し、複数の貫通孔２１１を、平面部２４に形成した。このため、排泄物処理材５を透過する尿等の液体は、底面部２１のテーパ面部２５を伝って底面部２１に集められ、底面部２１に設けられた貫通孔２１１から下部容器３に落ちていくことができる。
【００４７】
以上、本発明の好ましい各実施形態について説明したが、本発明は、上述した各実施形態に制限されるものではなく、適宜変更が可能である。
本実施形態では、排泄物処理材５の適切な量を示す目安は突起部４０及びテーパ面部２５により構成されているが、これに限られない。例えば、目安は、上部容器２における色の違い、凹凸、模様等で排泄物処理材５の適切な量を示すが表されていてもよい。
【００４８】
また、上部容器２には、下部容器３の外側に配置される足部２２３が形成されているが、足部は下部容器３の内側に配置されるように形成されてもよい。足部が下部容器の内側に配置されることで、吸液部材４を取り替えるとき、足部を支点として上部容器２を手前に倒すことができる。
また、下部容器３０は、第１実施形態では、略八角形に形成されているが、下部容器３０の形状は略八角形に限られない。
【００４９】
更に、上記の実施形態では、動物用トイレ１は上部容器２及び下部容器３を有するシステムトイレであるが、システムトイレに限られない。１つの容器により形成される動物用トイレであってもよい。
【符号の説明】
【００５０】
１  動物用トイレ
２  上部容器（粒状物収容容器）
３  下部容器
２０  容器本体
２１  底面部
２１１  貫通孔
２２  側壁部
２３  周縁部
２４  平面部
２５  テーパ面部
４０  突起部
４１  突起部底面
４２  突起部側壁
【図１】
2014236683.tif 000003
【図２】
2014236683.tif 000004
【図３】
2014236683.tif 000005
【図４】
2014236683.tif 000006
【図５】
2014236683.tif 000007
【図６Ａ】
2014236683.tif 000008
【図６Ｂ】
2014236683.tif 000009
【図６Ｃ】
2014236683.tif 000010
【図７】
2014236683.tif 000011